(57)【要約】【課題】精算処理がある場合に確実に原稿の取り忘れを防止できる、画像読取装置を提供する。【解決手段】画像読取装置の一例であるデジタル複合機２０は、デジタル複合機２０の各部を制御する制御部２００と、利用者が操作する操作部３６と、プログラム及び各種データを記憶する記憶部２０４と、画像データを記憶する画像メモリ２０６と、外部装置とファクシミリ通信を行なうモデム部２０８と、外部装置とネットワーク接続により通信する通信部２１０と、課金装置３００とデータ通信線２１６を介してデータ通信するインターフェイスを含む課金部２１２とを含む。制御部２００は、利用者からの精算要求があっても、プラテンガラス上の原稿を取り忘れている場合には、プラテンガラスを覆っているカバーを自動的に開く。【選択図】図１
2009302846.tif 000002
【特許請求の範囲】
【請求項１】
載置された原稿を覆うカバーを自動的に開くためのカバー作動手段と、
前記カバーが閉じられた状態で、前記原稿を画像データとして読取るための読取手段と、
前記画像データを処理するための処理手段と、
前記処理の終了要求を検出するための検出手段と、
前記終了要求を検出したときに、前記原稿が載置された状態においては、前記カバーを開くように、前記カバー作動手段を制御するための制御手段とを含む、画像読取装置。
【請求項２】
前記検出手段は、利用者による精算要求を検出するための手段を含み、
前記画像読取装置は、前記処理に対する料金を精算するための精算手段をさらに含む、請求項１に記載の画像読取装置。
【請求項３】
前記精算手段は、前記処理前に投入した金銭から前記料金を減算した差額を返還するための手段を含む、請求項２に記載の画像読取装置。
【請求項４】
前記精算手段は、利用者が抜取不可能な状態に挿入されたカードに記録された情報を用いて前記料金を徴収した後に前記カードを利用者が受取可能なように排出するための手段を含む、請求項２に記載の画像読取装置。
【請求項５】
前記カードは、プリペイドカード及びクレジットカードのいずれかである、請求項４に記載の画像読取装置。
【請求項６】
前記画像読取装置は、前記原稿が載置された状態においては、前記料金の精算を禁止するように前記精算手段を制御するための手段をさらに含む、請求項２〜請求項５のいずれかに記載の画像読取装置。
【請求項７】
前記処理手段は、前記画像データに基づいて記録紙に画像を形成する処理、前記画像データを他の装置に送信する処理及び前記画像データを記録デバイスに記録する処理のいずれかの処理を実行するための手段を含む、請求項１〜請求項６のいずれかに記載の画像読取装置。
【請求項８】
前記カバー作動手段は、
前記カバーを自動的に開く機構と、
前記カバーを利用者が作動させるときには、前記機構を作動させないようにするための手段とを含む、請求項１〜請求項７のいずれかに記載の画像読取装置。
【請求項９】
載置された原稿を覆うカバーが閉じられた状態で、前記原稿を画像データとして読取るステップと、
前記画像データを処理するステップと、
前記処理の終了要求を検出するステップと、
前記終了要求を検出したときに、前記原稿が載置された状態においては、前記カバーを自動的に開くステップとを含む、画像読取装置。
【発明の詳細な説明】
【技術分野】
【０００１】
この発明は、課金装置付きの画像読取装置に関し、特に、コンビニエンスストア等で用いられる画像読取装置及び画像読取方法に関する。
【背景技術】
【０００２】
画像読取装置（複写機）の利用者は、この複写機で原稿の複写（コピー）を行なった後は、複写物の取出しに気を取られる。このため、原稿載置台の上に原稿を置き忘れることがあり、貴重な原稿を紛失しまうことがある。これは、複写機の原稿載置台に原稿を載置すると外光遮断用の上部筐体（カバー）を閉じてしまい原稿が見えなくなること、及び、手動により原稿載置台に原稿を載置することが原因である。さらに、複写が終了した後に原稿載置台上に原稿を置き忘れても、その旨を利用者に通報する機能を有していなかったことも原因である。そこで、このような不都合を解消するために、原稿の取り忘れを防止する複写機が開発されている。
【０００３】
特開昭６０−１１９５３７号公報（特許文献１）は、原稿載置台上に載置された原稿を交換しないと、原稿圧着部材が自動的に閉じないようにした自動開閉原稿圧着装置を開示する。この自動開閉原稿圧着装置は、原稿載置台上に載置された原稿をその上面に傾倒自在に圧着する原稿圧着部材と、この原稿圧着部材を開閉駆動する開閉駆動手段と、原稿載置台上の原稿を検知する原稿検知手段と、原稿検知手段の信号を受けて所定時間内に検知信号が一時的に消去されない場合に原稿圧着部材を開放状態に保持させるように開閉駆動手段を制御する制御手段とを具備する。
【０００４】
この自動開閉原稿圧着装置によると、原稿圧着部材が解放された状態において、原稿載置台上の原稿を載置したまま放置し又は原稿載置台上の原稿を取り除いたままにしておけば、原稿圧着部材は解放されたままとなって閉塞されない。このため、原稿が原稿載置台上に放置したことを忘れたままにすることも、同じ原稿を２回以上誤って複写することも防止できる。
【０００５】
特開平５−２７４９３号公報（特許文献２）は、複写終了後、手動による原稿の取出しがない場合には、利用者に原稿を取り出していない旨を通報する画像形成装置に於ける原稿押さえ装置を開示する。この原稿押さえ装置は、画像形成手段を有する装置本体上面の原稿載置手段を開閉可能に被覆する被覆手段と、この被覆手段の開閉動作を検知する検知手段と、被覆手段に係合され被覆手段を自動的に開閉する開閉手段と、装置本体に設けられ警報音を発信する警報手段と、画像形成手段による画像形成終了後、所定時間を経過しても検知手段が被覆手段の開放動作を検知しない場合に被覆手段を自動的に開放するよう開閉手段を制御すると共に警報音を発信するよう警報手段を制御する制御手段とを具備する。
【０００６】
この原稿押さえ装置によると、複写終了後、利用者が原稿の取出しを忘れてしまい、被覆手段の開放動作が検知されない場合には、開閉手段により被覆手段が自動的に開放されるとともに警報手段により警報音が発信される。このため、利用者はその場で原稿の取出しを忘れたことに気付き、原稿忘れを防止できる。従って、従来のように、利用者が一旦装置から離れてしまった後に原稿を取りに戻るという手間が省けて、操作性が向上される。
【特許文献１】特開昭６０−１１９５３７号公報
【特許文献２】特開平５−２７４９３号公報
【発明の開示】
【発明が解決しようとする課題】
【０００７】
ところで、コンビニエンスストア等で用いられる課金装置付きの画像読取装置の利用者は、この複写機で原稿のコピーを行なった後は、複写物の取出しに加えて、課金処理に気を取られる。このため、お釣りの受け取りに気を取られてしまうと、原稿載置台の上に原稿を置き忘れることがあり、貴重な原稿を紛失しまうことがある。
【０００８】
しかしながら、上述した特許文献に開示された技術は、課金処理との関係について言及されていない。このため、課金処理に気を取られた利用者は、やはり原稿載置台の原稿を取り忘れる問題が依然として発生し得る。さらに、特許文献２に開示されたように警報音で報知することは、コンビニエンスストア内にいる他の客の迷惑になるという問題がある。
【０００９】
したがって、本発明の目的は、コンビニエンスストア等で用いられる課金装置付きの画像読取装置であって、精算処理がある場合に確実に原稿の取り忘れを防止することができる、画像読取装置及び画像読取方法を提供することである。
【課題を解決するための手段】
【００１０】
この発明のある局面に係る画像読取装置は、載置された原稿を覆うカバーを自動的に開くためのカバー作動手段と、カバーが閉じられた状態で、原稿を画像データとして読取るための読取手段と、画像データを処理するための処理手段と、処理の終了要求を検出するための検出手段と、終了要求を検出したときに、原稿が載置された状態においては、カバーを開くように、カバー作動手段を制御するための制御手段とを含む。
【００１１】
好ましくは、検出手段は、利用者による精算要求を検出するための手段を含み、画像読取装置は、処理に対する料金を精算するための精算手段をさらに含む。
【００１２】
さらに好ましくは、精算手段は、処理前に投入した金銭から料金を減算した差額を返還するための手段を含む。
【００１３】
さらに好ましくは、精算手段は、利用者が抜取不可能な状態に挿入されたカードに記録された情報を用いて料金を徴収した後にカードを利用者が受取可能なように排出するための手段を含む。
【００１４】
さらに好ましくは、カードは、プリペイドカード及びクレジットカードのいずれかである。
【００１５】
さらに好ましくは、画像読取装置は、原稿が載置された状態においては、料金の精算を禁止するように精算手段を制御するための手段をさらに含む。
【００１６】
さらに好ましくは、処理手段は、画像データに基づいて記録紙に画像を形成する処理、画像データを他の装置に送信する処理及び画像データを記録デバイスに記録する処理のいずれかの処理を実行するための手段を含む。
【００１７】
さらに好ましくは、カバー作動手段は、カバーを自動的に開く機構と、カバーを利用者が作動させるときには、その機構を作動させないようにするための手段とを含む。
【００１８】
この発明の別の局面に係る画像読取方法は、載置された原稿を覆うカバーが閉じられた状態で、原稿を画像データとして読取るステップと、画像データを処理するステップと、処理の終了要求を検出するステップと、終了要求を検出したときに、原稿が載置された状態においては、カバーを自動的に開くステップとを含む。
【発明の効果】
【００１９】
本発明によれば、検出手段が終了要求を検出したときに、原稿が載置された状態であれば、制御手段によってカバー作動手段が動作しカバーが開く。したがって、利用者が原稿を載置したまま終了要求の操作を行なうとカバーが開き、原稿の取り忘れに容易に気付くことができる。例えば終了要求の操作として、投入した現金、プリペイドカード、又はクレジットカードなどに対する精算要求を行なうようにすれば、画像読取装置を有料で公衆に使用させるときも、大切な原稿の取り忘れという問題が生じる惧れを小さくすることができる。原稿が載置された状態では、精算指示とそれに伴うカバーの開放動作とが行なわれなければ精算が完了されず、原稿の取り忘れの防止をより確実にできる。その結果、コンビニエンスストア等で用いられる課金装置付きの画像読取装置であって、精算処理がある場合に確実に原稿の取り忘れを防止することができる画像読取装置を提供できる。
【発明を実施するための最良の形態】
【００２０】
以下の説明では、同一の部品には同一の符号を付してある。それらの機能及び名称も同一である。したがって、それらについての詳細な説明は繰返さない。
【００２１】
＜第１の実施の形態＞
＜全体システム構成＞
本発明の第１の実施の形態に係る画像読取装置は、デジタル複合機２０に適用される。図１に、このデジタル複合機２０の制御ブロックを含むシステム構成図を示す。
【００２２】
図１に示すように、このデジタル複合機２０は、各部（原稿搬送読取部、画像形成部、給紙部、排紙処理部、各種インターフェイス部）を制御する制御部２００と、利用者が操作する操作部３６と、プログラム及び各種データを記憶する記憶部２０４と、画像データを記憶する画像メモリ２０６と、外部装置とファクシミリ通信を行なうモデム部２０８と、外部装置とネットワーク接続により通信する通信部２１０と、課金装置３００とデータ通信線２１６を介してデータ通信するインターフェイスを含む課金部２１２と、このデジタル複合機２０の管理情報（例えば複写枚数のカウント値）を記憶する管理部２１４と、カバー開閉機構を開閉するためのモータに接続されたモータ駆動回路２１８と、カバーの開閉状態を検知するカバー開閉検知センサ２２０とを含む。
【００２３】
制御部２００は、実質的にはコンピュータであって、このデジタル複合機２０全体を制御するＣＰＵ（Ｃｅｎｔｒａｌ  Ｐｒｏｃｅｓｓｉｎｇ  Ｕｎｉｔ）等を備え、デジタル複合機２０全体を制御するためのプログラムを格納するＲＯＭ（Ｒｅａｄ  Ｏｎｌy  Ｍｅｍｏｒｙ）と、データを一時格納する機能及びＣＰＵのワーキングエリアとしての機能を有するＲＡＭ（Ｒａｎｄｏｍ  Ａｃｃｅｓｓ  Ｍｅｍｏｒｙ）とを備えている。後述する処理を実行するためのプログラムはＲＯＭに格納されているが、これに限らず、記憶部２０４がこのプログラムを格納する構成としてもよい。
【００２４】
操作部３６は、利用者に対して画像形成に必要な情報の入力を促すと共に設定されている画像形成に必要な情報を表示する表示部１０６と、画像形成に必要な情報を入力するための押しボタン１１４とを含む。表示部１０６は、液晶パネルで構成され、画像形成に必要な情報を利用者に表示する。これに加えて、表示部１０６をタッチパネルで構成して、画像形成に必要な情報を表示するだけでなく、画像形成に必要な情報の入力を受付けるようにしてもよい。押しボタン１１４は、０から９までの数字ボタン、スタートボタン及びクリアボタン等で構成されて、利用者により複写枚数、画像形成情報のクリア要求及び複写開始要求等が入力される。
【００２５】
記憶部２０４には、このデジタル複合機２０を制御するための各種データが記憶される（上述のようにプログラムが記憶される場合もある。）。たとえば、このデジタル複合機２０の複写機能としては、白黒コピーのみならず、フルカラーコピー、写真コピーがある。これらの複写の種類及び複写サイズ（記録紙のサイズ）により、１枚あたりの複写料金が設定され、記憶部２０４に記憶されている。
【００２６】
画像メモリ２０６は、高速で書込み及び読取りが可能なメモリである。記憶部２０４の構成の一部を使用して画像メモリとしても構わない。
【００２７】
モデム部２０８は、このデジタル複合機２０で読取られた画像を、公衆回線２５０を介して相手方のファクシミリ２５２にファクシミリ送信するためのインターフェイスである。通信部２１０は、このデジタル複合機２０で読取られた画像を、インターネット等の通信網２６０を介して、相手方のコンピュータ２６２又はｉ（ｉｎｔｅｒｎｅｔ）−ＦＡＸ２６４に電子メールの形式又はｉ−ＦＡＸの形式等により送信するためのインターフェイスである。
【００２８】
課金部２１２は、このデジタル複合機２０の利用料金を徴収する課金装置３００に、データ通信線２１６により接続されている。課金装置３００は、現金、プリペイドカード、クレジットカードが挿入されることで、読取料金又は印刷料金を徴収する。
【００２９】
モータ駆動回路２１８は、後述するカバー開閉機構を開閉駆動するためのモータ（例えば、直流モータ又はパルスモータ）を制御する。制御部２００から開指令信号（この信号はカバー開閉検知センサ２２０によりカバーが閉じていることが検知されたときのみ出力される。）を受信したモータ駆動回路２１８は、モータに所定のパルス（正値）を与えて、閉じているカバーを開く。なお、制御部２００から閉指令信号（この信号はカバー開閉検知センサ２２０によりカバーが開いていることが検知されたときのみ出力される。）を受信したモータ駆動回路２１８は、モータに所定のパルス（負値）を与えて、開いているカバーを閉じるようにすることもできる。さらに、後述するように、利用者が手動でカバーを開閉することもできる。
【００３０】
なお、上述の説明において、１つの制御部２００が、デジタル複合機２０を構成する原稿搬送読取部、画像形成部、給紙部、排紙処理部、課金装置３００等の各部を制御するとして説明したが、本発明はこの態様に限定されない。たとえば、原稿搬送読取部と印刷部（画像形成部、給紙部、排紙処理部）とに大別して、原稿搬送読取部と印刷部とをそれぞれ制御する制御部を設けて、データ通信インターフェイスを介してこれらの制御部を接続して、デジタル複合機２０を制御するようにしてもよい。
【００３１】
＜デジタル複合機２０の全体構成＞
図２に、課金装置３００を備えたデジタル複合機２０の全体斜視図を、図３に、デジタル複合機２０の内部構成の簡略図を、それぞれ示す。
【００３２】
本実施の形態に係るデジタル複合機２０は、原稿の画像を読取って記録用紙に印刷する複写モード、原稿の画像を読取って送信したり原稿の画像を受信して記録用紙に印刷したりするファクシミリモード、及び図外の情報端末装置からネットワークを通じて受信した画像を記録用紙に印刷するプリンタモード等を選択的に行なうことができる。
【００３３】
このデジタル複合機２０は、原稿搬送読取部２２、画像形成部２４、給紙部２６、排紙処理部２８、及びＵＳＢ（Ｕｎｉｖｅｒｓａｌ  Ｓｅｒｉａｌ  Ｂｕｓ）インターフェイス３０を備えている。
【００３４】
ここで、複写モードでの動作説明を行なうことによって本デジタル複合機２０の内部構成の説明とする。
【００３５】
原稿が原稿搬送読取部２２の原稿セットトレイ３２にセットされると、原稿検出センサ３４が原稿のセットされたことを検出する。そして、原稿搬送読取部２２の操作部３６を操作することにより、印刷用紙のサイズ及び変倍率等が入力設定される。その後、操作部３６の操作内容に応じて複写開始の指示がなされる。
【００３６】
上記操作部３６の操作に応答して、原稿搬送読取部２２では、ピックアップローラ３８により原稿セットトレイ３２上の各原稿を１枚ずつ引出し、原稿を捌き板４０及び搬送ローラ４２間を介してプラテンガラス４４へと送り出し、原稿をプラテンガラス４４上で副走査方向に搬送して原稿排出トレイ４６へと排出する。
【００３７】
このとき、第１の読取部４８によって原稿の表面（下側面）が読取られる。この第１の読取部４８の第１の走査ユニット５０を所定位置に移動して位置決めすると共に、第２の走査ユニット５２を所定位置に位置決めしておく。第１の走査ユニット５０の露光ランプによりプラテンガラス４４を介して原稿の表面を照射し、原稿の反射光を第１の走査ユニット５０及び第２の走査ユニット５２の各反射ミラーにより結像レンズ５４へと導き、原稿の反射光を結像レンズ５４によりＣＣＤ（Ｃｈａｒｇｅ  Ｃｏｕｐｌｅｄ  Ｄｅｖｉｃｅ）５６に集光させ、原稿の表面の画像をＣＣＤ５６上に結像させて原稿の表面の画像を読取る。
【００３８】
また、第２の読取部５８によって原稿の裏面（上側面）が読取られる。この第２の読取部５８は、プラテンガラス４４の上方に配置されている。第２の読取部５８には、ＬＥＤ（Ｌｉｇｈｔ  Ｅｍｉｔｔｉｎｇ  Ｄｉｏｄｅ）アレイ及び蛍光灯等で構成され、原稿の裏面を照射する露光ランプ、画素毎に原稿の反射光を集光するセルフォックレンズアレイ、及びセルフォックレンズアレイを通じて受光した原稿の反射光を光電変換してアナログの画像信号を出力する密着イメージセンサ（ＣＩＳ：Ｃｏｎｔａｃｔ  Ｉｍａｇｅ  Ｓｅｎｓｏｒ）等を備えている。
【００３９】
さらに、原稿搬送読取部２２のカバーを開いて、プラテンガラス４４上に原稿を載置し、この状態で第１の読取部４８により原稿の表面を読取ることが可能である。この場合は、第１の走査ユニット５０及び第２の走査ユニット５２を相互に所定の速度関係を維持しつつ副走査方向に移動させ、第１の走査ユニット５０によってプラテンガラス４４上の原稿を露光し、第１の走査ユニット５０及び第２の走査ユニット５２によって原稿からの反射光を結像レンズ５４へと導き、結像レンズ５４によって原稿の画像をＣＣＤ５６上に結像する。なお、プラテンガラス４４上に原稿が載置されているか否か及びプラテンガラス４４上に載置された原稿の大きさを検出する原稿検出センサを備える。
【００４０】
上記のようにして原稿の片面又は両面が読取られると、原稿の片面又は両面の画像を示す画像データが制御部２００に入力され、ここで画像データに各種の画像処理が施され、この画像データが画像形成部２４へと出力される。
【００４１】
画像形成部２４は、画像データによって示される原稿の画像を記録用紙に印刷するものであって、感光体ドラム６０、帯電装置６２、レーザスキャンユニット（以下、「ＬＳＵ」と称する。）６４、現像装置６８、転写装置７０、クリーニング装置７２、定着装置７４及び図示しない除電装置等を備えている。
【００４２】
また、画像形成部２４には、主搬送路７６及び反転搬送路７８が設けられており、給紙部２６から給紙されてきた記録用紙が主搬送路７６に沿って搬送される。給紙部２６は、用紙カセット８０に収納された記録用紙、又は手差トレイ８２に載置された記録用紙を１枚ずつ引出して記録用紙を画像形成部２４の主搬送路７６へと送り出す。
【００４３】
画像形成部２４の主搬送路７６に沿って記録用紙が搬送されている途中で、記録用紙が感光体ドラム６０と転写装置７０との間を通過し、更に定着装置７４を通過して、記録用紙に対する印刷が行われる。
【００４４】
感光体ドラム６０は、一方向に回転し、その表面は、クリーニング装置７２と除電装置によりクリーニングされた後、帯電装置６２により均一に帯電される。
【００４５】
ＬＳＵ６４は、原稿搬送読取部２２からの画像データに基づいてレーザ光を変調し、このレーザ光によって感光体ドラム６０表面を主走査方向に繰り返し走査して、静電潜像を感光体ドラム６０表面に形成する。
【００４６】
現像装置６８は、トナーを感光体ドラム６０表面に供給して静電潜像を現像し、トナー像を感光体ドラム６０表面に形成する。
【００４７】
転写装置７０は、当該転写装置７０と感光体ドラム６０との間を通過していく記録用紙に感光体ドラム６０の表面のトナー像を転写する。
【００４８】
定着装置７４は、記録用紙を加熱及び加圧して当該記録用紙上のトナー像を定着させる。
【００４９】
主搬送路７６と反転搬送路７８との接続位置には、分岐爪８４が配設されている。記録用紙の片面のみに印刷が行われる場合は、分岐爪８４が位置決めされ、この分岐爪８４により定着装置７４からの記録用紙が排紙トレイ８６又は排紙処理部２８の方へと導かれる。
【００５０】
他方、記録用紙の両面に印刷が行われる場合は、分岐爪８４が所定方向に回動されて記録用紙が反転搬送路７８の方へと導かれる。そして、記録用紙は、反転搬送路７８を通過して、その表裏を反転されて主搬送路７６へと再び搬送され、主搬送路７６の再度の搬送途中で、その裏面への印刷が行なわれて排紙トレイ８６又は排紙処理部２８の方へと導かれる。
【００５１】
上記のようにして印刷された記録用紙は、排紙トレイ８６又は排紙処理部２８の方へと導かれて排紙トレイ８６に排出され、又は排紙処理部２８の各排紙トレイ８８の何れかに排出される。
【００５２】
排紙処理部２８では、複数の記録用紙を各排紙トレイ８８に仕分けして排出する処理、各記録用紙にパンチングする処理、及び各記録用紙にステープルする処理を施す。例えば、複数部の印刷物を作成する場合は、各排紙トレイ８８に印刷物の一部ずつが割り当てられるように、各記録用紙を各排紙トレイ８８に仕分けして排出し、排紙トレイ８８毎に、排紙トレイ８８上の各記録用紙にパンチング処理又はステープル処理を施して印刷物を作成する。
【００５３】
なお、図４に、表示部１０６及び押しボタン１１４の一例を示す。図４は、複写モードにおける表示例である。
【００５４】
＜課金装置３００の全体構成＞
課金装置３００は、現金（硬貨）を投入する硬貨投入口３０２と、プリペイドカードを挿入するプリペイドカード挿入口３０６と、クレジットカードを挿入するクレジットカード挿入口３０８と、利用者に課金についての情報を表示する表示部３０４と、精算ボタン３１２と、おつりとしての硬貨の返却口３１０とを備える。なお、現金投入口として紙幣挿入口を設けてもよい。
【００５５】
この課金装置３００自体にも制御部（図示しない）が設けられている。課金装置３００の制御部は、デジタル複合機２０の制御部２００との間で、課金部２１２及びデータ通信線２１６を介して通信を行ない、制御部２００からの指令信号に基づいて課金装置３００を制御する。
【００５６】
プリペイドカード挿入口３０６及びクレジットカード挿入口３０８は、共通する１つのカード挿入口として、課金装置３００の制御部がカードの種類を判別しても構わない。プリペイドカード挿入口３０６及びクレジットカード挿入口３０８は、利用者がカードを所定の方向で途中まで挿入すると、内部に設けられたモータによりカードを引込む。課金装置３００の内部に引込まれたカードは、課金装置３００の制御部がモータを逆回転させることにより排出される。すなわち、利用者がカードを課金装置のカード挿入口に挿入した後は、課金装置３００の制御部が排出指令を実行しない限りカードを取出すことはできない。
【００５７】
精算ボタン３１２は、複写が終了した利用者が、おつりを求める時に押すボタン又は、カード（プリペイドカード又はクレジットカード）の返却を求める時に押すボタンである。なお、以下の説明においては、おつりが発生すること及び利用者がカードの返却を求めることを前提とする。
【００５８】
最近では、カードではなく携帯電話が、プリペイドカード機能（電子マネー）又はクレジットカード機能を備えるものもある。このような携帯電話による決済でも本発明の適用は可能である。この適用においては、カードが課金装置３００内に引込まれて取出すことができないのと同様に、携帯電話を取外すことができない状態にするロック機構が、課金装置３００のハードウェアとして必要になる。このロック機構は、精算ボタン３１２が押されて所定の判定が行なわれると、制御部２００によりロックが解除され、携帯電話を取外すことができる。
【００５９】
＜デジタル複合機２０のカバー開閉機構＞
本実施の形態に係るデジタル複合機２０は、図５に示すように、カバー３２０を自動的に開閉するカバー開閉機構３３０を備える。以下、このカバー開閉機構３３０について説明する。
【００６０】
図５に示すように、このデジタル複合機２０のカバー３２０は、丁番３２２及び丁番３２４により本体に取り付けられており、カバー開閉機構３３０により、自動的に開閉することが可能である。なお、後述するように、自動ではなく手動でカバー３２０を開閉することもできる、
一方の丁番３２２の近傍には、カバー３２０の開閉に対応して上下動するバーと、バーの上下動を検知するマイクロスイッチとから構成されるカバー開閉検知センサ２２０が設けられる。マイクロスイッチから出力された信号は制御部２００へ出力されて、制御部２００は、カバー３２０が開状態であるのか閉状態であるのかを検知することができる。
【００６１】
図６−図８を参照して、カバー開閉機構３３０の詳細について説明する。図６にカバー３２０が閉じている状態を、図７にカバー３２０が開いている状態を、それぞれ示す。さらに、図８に、カバー開閉機構３３０のギヤ機構の構成を示す。
【００６２】
図８に示すように、このカバー開閉機構３３０は、駆動源であってモータ駆動回路２１８により受けたパルスにより回転されるモータ３４０と、モータ３４０に接続された駆動ギヤ３３６と、カバー３２０の開閉に連動して回転するカバー側ギヤ３３２と、これらの駆動ギヤ３３６とカバー側ギヤ３３２との中間に設けられた中間ギヤ３３４と、この中間ギヤ３３４を進退させるソレノイド３３８とを含む。
【００６３】
図８に示すように、駆動ギヤ３３６及びカバー側ギヤ３３２は、同じ方向に傾斜部を備えたかさ歯車であって、左右方向の位置は一致している。これに対して、中間ギヤ３３４は、駆動ギヤ３３６及びカバー側ギヤ３３２とは異なる方向に傾斜部を備えたかさ歯車である。ソレノイド３３８により中間ギヤ３３４が進行しているときには、中間ギヤ３３４を介して駆動ギヤ３３６とカバー側ギヤ３３２とが噛合して、モータ３４０の駆動力がカバー側ギヤ３３２に伝達される。また、ソレノイド３３８により中間ギヤ３３４が退行しているときには、中間ギヤ３３４を介して駆動ギヤ３３６とカバー側ギヤ３３２とが噛合しないので、モータ３４０の駆動力がカバー側ギヤ３３２に伝達されず、カバー側ギヤ３３２はフリーとなり、カバー３２０を手動で開閉できるようになる。なお、ソレノイド３３８は制御部２００により制御され、例えば操作部３６に設けられた手動開閉ボタンを押すことにより、ソレノイド３３８が退行する。
【００６４】
なお、上述したようにソレノイド３３８を用いてカバー側ギヤ３３２をフリーにするのではなく、モータ３４０と駆動ギヤ３３６との間に電磁クラッチを設けても構わない。
【００６５】
＜デジタル複合機２０の制御構造＞
図９−図１０を参照して、デジタル複合機２０の制御部２００で実行される、プログラムの制御構造について説明する。
【００６６】
ステップ（以下、ステップをＳと記載する。）４００にて、制御部２００は、課金装置３００への入金があるか否かを判定する。このとき、課金装置３００の制御部からデータ通信線２１６及び課金部２１２を介して制御部２００に送信されるデータに基づいて、判定する。課金装置３００は、硬貨投入口３０２に硬貨が投入されるか、プリペイドカード挿入口３０６にプリペイドカードが挿入されるか又はクレジットカード挿入口３０８にクレジットカードが挿入されると、入金ありを示すデータ、課金方法の種類を示すデータ、投入金額（現金の場合には投入された硬貨の金額、プリペイドカードの場合にはカードから読取ったカード残金）を示すデータ、クレジットカード情報を制御部２００に送信する。制御部２００は、これらのデータを記憶部２０４に記憶する。課金装置３００への入金があると判定されると（Ｓ４００にてＹＥＳ）、処理はＳ４０２へ移される。もしそうでないと（Ｓ４００にてＮＯ）、処理はＳ４００へ戻されて課金装置３００への入金があるまで待つ。
【００６７】
Ｓ４０２にて、制御部２００は、課金方法が、現金、プリペイドカード及びクレジットカードのいずれであるのかを判定する。このとき、制御部２００は、課金装置３００から受信したデータ（記憶部２０４に記憶されたデータでもある。）に基づいて判定する。課金方法が現金である場合には、処理はＳ４０４へ移される。課金方法がプリペイドカードである場合には、処理はＳ４１０へ移される。課金方法がクレジットカードである場合には、処理はＳ４１６へ移される。
【００６８】
Ｓ４０４にて、制御部２００は、記憶部２０４に記憶した残金を記憶部２０４から読出す。このときの残金は、複写前であれば投入金額であり、複写後であると投入金額から利用料金を引いた金額であって（後述のＳ４３０参照）、記憶部２０４に記憶されている。
【００６９】
Ｓ４０６にて、制御部２００は、利用者が要求する処理モードを決定する。このとき、制御部２００は、操作部３６に入力された情報に基づいて処理モードを、例えば複写モードに決定する。Ｓ４０８にて、制御部２００は、決定された処理モードの料金（例えば記録用紙の大きさを考慮した、原稿１枚あたりの複写単価）を記憶部２０４から読出す。この後、処理はＳ４２２へ移される。
【００７０】
Ｓ４１０にて、制御部２００は、プリペイドカードのカード残金を読出す。このときのカード残金は、複写前であればプリペイドカードに記録され課金装置３００が読出したカード残金であり、複写後であるとカード残金から利用料金を引いた金額であって（後述のＳ４３０参照）、記憶部２０４に記憶されている。
【００７１】
Ｓ４１２にて、制御部２００は、プリペイドカードのカード残金があるか否かを判定する。例えば、カード残金が０円であるとカード残金があるとは判定されない。プリペイドカードのカード残金があると判定されると（Ｓ４１２にてＹＥＳ）、処理はＳ４０６へ移される。もしそうでないと（Ｓ４１２にてＮＯ）、処理はＳ４１４へ移される。
【００７２】
Ｓ４１４にて、制御部２００は、プリペイドカードのカード残金が不足している旨のメッセージを表示部１０６に表示する。その後、処理はＳ４４４へ移される。
【００７３】
Ｓ４１６にて、制御部２００は、クレジットカードの決済の実行可否を確認する。例えば、制御部２００は、課金装置３００から受信したクレジットカード情報に基づいて、通信部２１０を用いて通信網２６０を介してクレジットカード会社に使用可否を問合せる。
【００７４】
Ｓ４１８にて、制御部２００は、クレジットカードの決済が可能か否かを判定する。例えば、クレジットカード会社から使用可能である旨の回答を受信しないとカード決済が可能であるとは判定されない。クレジットカードの決済が可能であると判定されると（Ｓ４１８にてＹＥＳ）、処理はＳ４０６へ移される。もしそうでないと（Ｓ４１８にてＮＯ）、処理はＳ４２０へ移される。
【００７５】
Ｓ４２０にて、制御部２００は、クレジットカードのカード決済が不可能である旨のメッセージを表示部１０６に表示する。その後、処理はＳ４４４へ移される。
【００７６】
Ｓ４２２にて、制御部２００は、課金方法がクレジットカード決済であるか否かを判定する。課金方法がクレジットカード決済であると判定されると（Ｓ４２２にてＹＥＳ）、処理はＳ４２６へ移される。もしそうでないと（Ｓ４２２にてＮＯ）、処理はＳ４２４へ移される。
【００７７】
Ｓ４２４にて、制御部２００は、残金（現金決済）又はカード残金（プリペイドカード決済）で、利用者が要求する処理が可能か否かを判定する。Ｓ４０４にて読出した残金がＳ４０８で読出した料金よりも多いと、利用者が要求する処理が可能であると判定される。残金又はカード残金で利用者が要求する処理が可能であると判定されると（Ｓ４２４にてＹＥＳ）、処理はＳ４２６へ移される。もしそうでないと（Ｓ４２４にてＮＯ）、処理はＳ４４２へ移される。
【００７８】
Ｓ４２６にて、制御部２００は、処理（ここでは複写処理）を実行する。
【００７９】
Ｓ４２８にて、制御部２００は、課金方法がクレジットカード決済であるか否かを判定する。課金方法がクレジットカード決済であると判定されると（Ｓ４２８にてＹＥＳ）、処理はＳ４３２へ移される。もしそうでないと（Ｓ４２８にてＮＯ）、処理はＳ４３０へ移される。
【００８０】
Ｓ４３０にて、制御部２００は、残金を算出して記憶部２０４に記憶する。詳しくは、制御部２００は、精算が現金決済による場合には投入金額から利用料金を引いた金額を、精算がプリペイドカード決済による場合にはカード残金から利用料金を引いた金額を、記憶部２０４に記憶する。その後、処理はＳ４３４へ移される。
【００８１】
Ｓ４３０にて、制御部２００は、料金を算出して記憶部２０４に記憶する。詳しくは、制御部２００は、精算がクレジットカード決済による場合であるので、利用料金を、記憶部２０４に記憶する。その後、処理はＳ４３４へ移される。
【００８２】
Ｓ４３４にて、制御部２００は、利用者から精算要求があるか否かを判定する。複写処理が終了した利用者が課金装置３００の精算ボタン３１２を押すと、利用者から精算要求があると判定される。利用者から精算要求があると判定されると（Ｓ４３４にてＹＥＳ）、処理はＳ４３６へ移される。もしそうでないと（Ｓ４３４にてＮＯ）、処理はＳ４４６へ移される。
【００８３】
Ｓ４３６にて、制御部２００は、課金処理を実行する。制御部２００は、現金決済の場合にはおつりの金額を算出して、そのおつりの硬貨を準備するように課金装置３００へ指令する（おつりの排出指令ではない）。プリペイドカード決済の場合にはカード残金を算出して、そのカード残金をプリペイドカードに書込むように課金装置３００へ指令する。このとき、課金装置３００は、カード残金データをプリペイドカードの磁気記録部に記録するとともに、残金の数字をプリペイドカードの裏面に印刷する。クレジットカード決済の場合には利用料金を算出して、その利用料金をクレジットカード会社へ送信してオンライン決済する。
【００８４】
Ｓ４３８にて、制御部２００は、デジタル複合機２０に利用者の原稿が残っているか否かを判定する。このとき、制御部２００は、プラテンガラス４４上に原稿が載置されているか否かを検出する原稿検出センサからの信号に基づいて、原稿が残っているか否かを判定する。利用者の原稿が残っていると判定されると（Ｓ４３８にてＹＥＳ）、処理はＳ４４０へ移される、もしそうでないと（Ｓ４３８にてＮＯ）、処理はＳ４４４へ移される。
【００８５】
Ｓ４４０にて、制御部２００は、カバー３２０を開くように、モータ駆動回路２１８に開指令信号を出力する。このとき、モータ駆動回路２１８からモータ３４０へ、カバー３２０を開くだけのパルスが出力される。なお、この開指令信号は、カバー開閉検知センサ２２０によりカバー３２０が閉じていることが検知されたときのみ出力されることは上述の通りである。その後、処理はＳ４３８へ戻される。
【００８６】
Ｓ４４２にて、制御部２００は、金額が不足している旨のメッセージを表示部１０６に表示する。これは、投入された現金の残金が不足しているか又はプリペイドカードのカード残金が不足しているかが原因である。その後、処理はＳ４３６へ移される。
【００８７】
Ｓ４４４にて、制御部２００は、おつりの硬貨を返却口３１０へ排出するように又はカードを排出するように、課金装置３００へ指令する。
【００８８】
Ｓ４４６にて、制御部２００は、課金方法が、現金、プリペイドカード及びクレジットカードのいずれであるのかを判定する。課金方法が現金である場合には、処理はＳ４０４へ移される。課金方法がプリペイドカードである場合には、処理はＳ４１０へ移される。課金方法がクレジットカードである場合には、処理はＳ４０６へ移される。
【００８９】
＜デジタル複合機の動作＞
以上のような構造を有するデジタル複合機２０の動作について説明する。なお、以下においては、デジタル複合機２０の動作の一例として、１枚１０円の複写モードで６枚の原稿を１枚ずつ複写する場合について説明する。
【００９０】
［現金決済］
利用者が、課金装置３００の硬貨投入口３０２に１００円硬貨を投入すると、課金装置３００から、入金ありを示すデータ、課金方法が現金であることを示すデータ、投入金額（１００円）を示すデータが制御部２００に送信されて記憶部２０４に記憶される（Ｓ４００にてＹＥＳ、Ｓ４０２にて現金）。残金として１００円が記憶部２０４から読出される（Ｓ４０４）。
【００９１】
利用者が操作部３６を用いて、１枚１０円の複写モードを選択すると、その複写モードが処理モードに決定されて、料金（１０円）が読出される（Ｓ４０６、Ｓ４０８）
残金で処理が可能であるので（この場合には投入金額の１００円が料金単価である１０円よりも高いので）、１枚目の原稿の複写処理が実行される（Ｓ４２４にてＹＥＳ、Ｓ４２６）。利用者はプラテンガラス４４上に１枚目の原稿を載置して、複写枚数として１枚を入力して、スタートボタンを押す。１枚目の複写が終了すると、残金が９０円と算出されて記憶部２０４に記憶される（Ｓ４３０）。
【００９２】
精算要求することなく（Ｓ４３４にてＮＯ）、このような動作が６回繰返される。すなわち、Ｎを２以上の自然数として、利用者がプラテンガラス４４上に載置された（Ｎ−１）枚目の原稿を取出してＮ枚目の原稿をプラテンガラス４４上に載置して、複写枚数を変更することなく（１枚のままで）、スタートボタンを押す。Ｎ枚目の複写が終了すると、残金が（１００−Ｎ×１０）円と算出されて記憶部２０４に記憶される（Ｓ４３０）。
【００９３】
６枚目の原稿の複写が終わりその原稿をプラテンガラス４４上に載置したままで、利用者が精算ボタン３１２を押すと（Ｓ４３４にてＹＥＳ）、課金処理が実行され、おつりの４０円が準備される（Ｓ４３６）。６枚目の原稿がプラテンガラス４４上に残っているので、この原稿が原稿検出センサで検出されて（Ｓ４３８にてＹＥＳ）、閉じていたカバー３２０が開く（Ｓ４４０）。
【００９４】
６枚目の原稿がプラテンガラス４４上に残っている状態では、閉じていたカバー３２０が開いた状態になるため、利用者はカバー３２０が開いたことによりプラテンガラス４４上に残っている６枚目の原稿に気付き易い。
【００９５】
プラテンガラス４４上に残っている６枚目の原稿に気付いた利用者がこの６枚目の原稿をプラテンガラス４４上から取出すと（Ｓ４３８にてＮＯ）、４０円のおつりが返却口３１０から排出される。
【００９６】
［現金決済：現金不足］
利用者が、課金装置３００の硬貨投入口３０２に５０円硬貨を投入すると、課金装置３００から、入金ありを示すデータ、課金方法が現金であることを示すデータ、投入金額（５０円）を示すデータが制御部２００に送信されて記憶部２０４に記憶される（Ｓ４００にてＹＥＳ、Ｓ４０２にて現金）。残金として５０円が記憶部２０４から読出される（Ｓ４０４）。
【００９７】
利用者が操作部３６を用いて、１枚１０円の複写モードを選択すると、その複写モードが処理モードに決定されて、料金（１０円）が読出される（Ｓ４０６、Ｓ４０８）
残金で処理が可能であるので（この場合には投入金額の１００円が料金単価である１０円よりも高いので）、１枚目の原稿の複写処理が実行される（Ｓ４２４にてＹＥＳ、Ｓ４２６）。利用者はプラテンガラス４４上に１枚目の原稿を載置して、複写枚数として１枚を入力して、スタートボタンを押す。１枚目の複写が終了すると、残金が９０円と算出されて記憶部２０４に記憶される（Ｓ４３０）。
【００９８】
精算要求することなく（Ｓ４３４にてＮＯ）、このような動作が５回繰返されると金額が不足することになる。５枚目の原稿の複写が終わりその原稿をプラテンガラス４４上に載置したままの状態であると、利用者が精算ボタン３１２を押さなくても、課金処理が行なわれる（Ｓ４２４にてＮＯ、Ｓ４３６）。なお、このときには、おつりは準備されない。５枚目の原稿がプラテンガラス４４上に残っているので、この原稿が原稿検出センサで検出されて（Ｓ４３８にてＹＥＳ）、閉じていたカバー３２０が開く（Ｓ４４０）。
【００９９】
５枚目の原稿がプラテンガラス４４上に残っている状態では、閉じていたカバー３２０が開いた状態になり、利用者はカバー３２０が開いたことによりプラテンガラス４４上に残っている５枚目の原稿に気付き易い。
【０１００】
［プリペイドカード決済］
利用者が、課金装置３００のプリペイドカード挿入口３０６にカード残金が１０００円のプリペイドカードを挿入すると、課金装置３００から、入金ありを示すデータ、課金方法がプリペイドカードであることを示すデータ、カード残金（１０００円）を示すデータが制御部２００に送信されて記憶部２０４に記憶される（Ｓ４００にてＹＥＳ、Ｓ４０２にてプリペイドカード）。残金として１０００円が記憶部２０４から読出される（Ｓ４０４）。
【０１０１】
利用者が操作部３６を用いて、１枚１０円の複写モードを選択すると、その複写モードが処理モードに決定されて、料金（１０円）が読出される（Ｓ４０６、Ｓ４０８）
残金で処理が可能であるので（この場合には挿入されたプリペイドカードのカード残金の１０００円が料金単価である１０円よりも高いので）、１枚目の原稿の複写処理が実行される（Ｓ４２４にてＹＥＳ、Ｓ４２６）。利用者はプラテンガラス４４上に１枚目の原稿を載置して、複写枚数として１枚を入力して、スタートボタンを押す。１枚目の複写が終了すると、残金が９０円と算出されて記憶部２０４に記憶される（Ｓ４３０）。
【０１０２】
精算要求することなく（Ｓ４３４にてＮＯ）、このような動作が６回繰返される。すなわち、Ｎを２以上の自然数として、利用者がプラテンガラス４４上に載置された（Ｎ−１）枚目の原稿を取出してＮ枚目の原稿をプラテンガラス４４上に載置して、複写枚数を変更することなく（１枚のままで）、スタートボタンを押す。Ｎ枚目の複写が終了すると、残金が（１０００−Ｎ×１０）円と算出されて記憶部２０４に記憶される（Ｓ４３０）。
【０１０３】
６枚目の原稿の複写が終わりその原稿をプラテンガラス４４上に載置したままで、利用者が精算ボタン３１２を押すと（Ｓ４３４にてＹＥＳ）、課金処理が実行され、カード残金である９４０円のカード残金データがプリペイドカードの磁気記録部に記録され、９４０円の文字がプリペイドカードの裏面に印刷される（Ｓ４３６）。６枚目の原稿がプラテンガラス４４上に残っているので、この原稿が原稿検出センサで検出されて（Ｓ４３８にてＹＥＳ）、閉じていたカバー３２０が開く（Ｓ４４０）。６枚目の原稿がプラテンガラス４４上に残っている状態では、閉じていたカバー３２０が開いた状態になるため、利用者はカバー３２０が開いたことによりプラテンガラス４４上に残っている６枚目の原稿に気付き易い。
【０１０４】
プラテンガラス４４上に残っている６枚目の原稿に気付いた利用者がこの６枚目の原稿をプラテンガラス４４上から取出すと（Ｓ４３８にてＮＯ）、９４０円のカード残金が記録されたプリペイドカードがプリペイドカード挿入口３０６から排出される。
【０１０５】
なお、残金が５０円のプリペイドカードを挿入したときには、［現金決済：現金不足］と同じように、５枚目のコピーが終了した時点で課金処理が実行される。このとき、プラテンガラス４４上に５枚目の原稿が残っていると、閉じていたカバー３２０が開いて、プラテンガラス４４上に残っている５枚目の原稿に利用者が気付き易い。
【０１０６】
［クレジットカード決済］
利用者が、課金装置３００のクレジットカード挿入口３０８にクレジット決済が可能なクレジットカードを挿入すると、課金装置３００から、入金ありを示すデータ、課金方法がクレジットカードであることを示すデータ、クレジットカード情報が制御部２００に送信されて記憶部２０４に記憶される（Ｓ４００にてＹＥＳ、Ｓ４０２にてクレジットカード）。クレジットカード情報（名義人、有効年月、カード番号等）に基づいて、通信部２１０を用いて通信網２６０を介してクレジットカード会社に使用可否が確認される（Ｓ４１６）。クレジットカード会社から使用可能である旨の回答を受信すると（Ｓ４１８にてＹＥＳ）、利用者が要求する処理モードが決定される（Ｓ４０６）。
【０１０７】
利用者が操作部３６を用いて、１枚１０円の複写モードを選択すると、その複写モードが処理モードに決定されて、料金（１０円）が読出される（Ｓ４０６、Ｓ４０８）
クレジットカード決済であるので（Ｓ４２２にてＹＥＳ）、残金での処理が可能であるか否かは判定されないで、１枚目の原稿の複写処理が実行される（Ｓ４２６）。利用者はプラテンガラス４４上に１枚目の原稿を載置して、複写枚数として１枚を入力して、スタートボタンを押す。
【０１０８】
精算要求することなく（Ｓ４３４にてＮＯ）、このような動作が６回繰返される。すなわち、Ｎを２以上の自然数として、利用者がプラテンガラス４４上に載置された（Ｎ−１）枚目の原稿を取出してＮ枚目の原稿をプラテンガラス４４上に載置して、複写枚数を変更することなく（１枚のままで）、スタートボタンを押す。Ｎ枚目の複写が終了すると、料金が（Ｎ×１０）円と算出されて記憶部２０４に記憶される（Ｓ４３２）。
【０１０９】
６枚目の原稿の複写が終わりその原稿をプラテンガラス４４上に載置したままで、利用者が精算ボタン３１２を押すと（Ｓ４３４にてＹＥＳ）、課金処理が実行され、利用料金である６０円がクレジット利用料金としてオンライン決済される（Ｓ４３６）。６枚目の原稿がプラテンガラス４４上に残っているので、この原稿が原稿検出センサで検出されて（Ｓ４３８にてＹＥＳ）、閉じていたカバー３２０が開く（Ｓ４４０）。６枚目の原稿がプラテンガラス４４上に残っている状態では、閉じていたカバー３２０が開いた状態になるため、利用者はカバー３２０が開いたことによりプラテンガラス４４上に残っている６枚目の原稿に気付き易い。
【０１１０】
プラテンガラス４４上に残っている６枚目の原稿に気付いた利用者がこの６枚目の原稿をプラテンガラス４４上から取出すと（Ｓ４３８にてＮＯ）、クレジットカードがクレジットカード挿入口３０８から排出される。
【０１１１】
以上のようにして、本実施の形態に係るデジタル複写機によると、原稿がプラテンガラス上に残っている状態では、カバーが開くとともに、現金決済で精算する場合にはおつりが返却されず、プリペイドカード決済で精算する場合にはプリペイドカードが排出されず、クレジットカード決済で精算する場合にはクレジットカードが排出されない。おつりが返却されない又はカード（プリペイドカード又はクレジットカード）が排出されないので、利用者は、おつり又はカード残金の確認に注意を払うこともなく、カードの取り忘れに注意を払うこともない。このときに又はこのときよりも前に、閉じていたカバーが開くので、利用者はプラテンガラス上の原稿に気付き易い。取り忘れた原稿に気付いた利用者が原稿をプラテンガラス上から取出すと、おつりが返却されたり、カードが排出されたりする。このときには原稿が残っていない。また、警告音等を用いていないので、コンビニエンスストア内にいる他の客の迷惑にもならない。
【０１１２】
＜第２の実施の形態＞
以下、本発明の第２の実施の形態について説明する。本実施の形態は、カバー開閉機構の構成が上述した第１の実施の形態と異なる。これ以外の構成及びプログラム構造は第１の実施の形態と同じである。したがって、それらについての詳細な説明はここでは繰返さない。
【０１１３】
図１１−図１３を参照して、本実施に形態に係るデジタル複合機２０のカバー開閉機構について説明する。
【０１１４】
カバー５２０は、上下動するカバーステー５２２により支持される。カバーアーム５３０及びカバーアーム５３２の下方には、モータ５５０の駆動軸に設けられた歯車と噛合するギヤが設けられている。いわゆるラック・アンド・ピニヨンの機構が形成されている。この機構により、モータ５５０が回転するとカバーアーム５３０及びカバーアーム５３２が上下方向に作動されて、カバーステー５２２により支持されながら、カバー５２０は、上下方向に移動する。カバー５２０が上端まで上昇すると、カバー５２０が開いた状態になり、カバー５２０が下端まで下降すると、カバー５２０が閉じた状態になる。なお、本実施の形態においては、カバー５２０は、モータ５５０で常に開閉される。モータ５５０の回転方向により、上昇（開く側）及び下降（閉じる側）に移動しているかを、制御部２００が検知できる。
【０１１５】
図１３に示すように、カバーアーム５３０の上端付近と下端付近とには、溝５３４が形成されている。モータ５５０の回転に伴いカバーアーム５３０が上下動して、カバースイッチ５４０のばね部材５４２が溝５３４に係合することにより、モータ５５０の回転方向と合わせてカバーアーム５３０が上端に到達したのか、下端に到達したのかを検知できる。
【０１１６】
なお、上述した第１の実施の形態と同様に、カバー開閉検知センサ２２０を設けるようにしても構わない。さらに、モータ５５０の電流値を検知することでカバー５２０が最上位若しくは最下位に到達したことを検知することも可能である。すなわち、カバー５２０が最上位にある時にさらにカバー開指令信号を与えたり、カバー５２０が最下位にある時にさらにカバー閉指令信号を与えたりすると、モータ５５０に過電流が流れるのでこの電流値を検知することで、カバー５２０が最上位若しくは最下位に到達していることを検知することも可能である。
【０１１７】
本実施の形態に係るデジタル複合機においても、上述した第１の実施の形態に係るデジタル複合機と同様に、原稿がプラテンガラス上に残っている状態で課金処理を実行すると、カバー開閉機構によりカバーが開くので、利用者はプラテンガラス上の原稿に気付き易い。
【０１１８】
＜変形例＞
なお、デジタル複合機２０の表示部１０６に表示される情報は、表示部１０６に代えて／加えて、課金装置３００の表示部３０４に表示するようにしてもよい。
【０１１９】
さらに、Ｓ４４０の処理においては、原稿の取り忘れていることを警告する旨のメッセージを表示部１０６に表示するようにしてもよい。このメッセージは、例えば「原稿が残っています。原稿を取り除くまで精算処理はできません」である。
【０１２０】
さらに、Ｓ４３８の処理にて原稿がプラテンガラス上に残っているとカバーを開いておつり及びカードの排出を行なわないようにしたが、カバーを開くようにしておつり及びカードの排出を行なうようにしても構わない。
【０１２１】
今回開示された実施の形態は単に例示であって、本発明が上述した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【図面の簡単な説明】
【０１２２】
【図１】本発明の第１の実施の形態に係るデジタル複合機を含む全体システム構成図である。
【図２】図１のデジタル複合機の全体斜視図である。
【図３】図１のデジタル複合機の内部構成を示す簡略図である。
【図４】図１の複写モードでのデジタル複合機の操作部に表示される一例を示す図である。
【図５】図１のデジタル複合機のカバーを開いたときの斜視図である。
【図６】図１のデジタル複合機におけるカバー開閉機構の内部機構を示す側面図（その１）である。
【図７】図１のデジタル複合機におけるカバー開閉機構の内部機構を示す側面図（その２）である。
【図８】カバー開閉機構のギヤ機構を示す図である。
【図９】本発明の第１の実施の形態に係るデジタル複合機の制御部で実行されるプログラムの制御構造を示すフローチャート（その１）である。
【図１０】本発明の第１の実施の形態に係るデジタル複合機の制御部で実行されるプログラムの制御構造を示すフローチャート（その２）である。
【図１１】本発明の第２の実施の形態に係るデジタル複合機のカバーを開いたときの斜視図である。
【図１２】図１１のデジタル複合機におけるカバー開閉機構の内部機構を示す側面図である。
【図１３】カバー開閉機構のセンサ配置を示す図である。
【符号の説明】
【０１２３】
２０  デジタル複合機
２００  制御部
３００  課金装置
【図１】
2009302846.tif 000003
【図２】
2009302846.tif 000004
【図３】
2009302846.tif 000005
【図４】
2009302846.tif 000006
【図５】
2009302846.tif 000007
【図６】
2009302846.tif 000008
【図７】
2009302846.tif 000009
【図８】
2009302846.tif 000010
【図９】
2009302846.tif 000011
【図１０】
2009302846.tif 000012
【図１１】
2009302846.tif 000013
【図１２】
2009302846.tif 000014
【図１３】
2009302846.tif 000015